【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
密閉空間のために空気を調節する方法において、
可変圧縮器を備える冷却システムを用いて供給空気流を前記空気の温度を下げるために前記空気を、冷却コイルを介して通過させることにより冷却し、前記そのようにして冷却された供給空気流に、前記空気流の温度を上昇させるともに前記空気流の水分含有量を低減させる条件の下で、回転中の乾燥剤ホイールの一区画を通過させ次いで前記そのようにして処理された空気を前記密閉空間に給送する工程、
前記冷却システムの凝縮コイルを用いて再生空気流を加熱することにより前記乾燥剤ホイールを再生し、前記ホイール内の乾燥剤を再生するために、前記加熱された再生空気流に前記回転中の乾燥剤ホイールの別の区画を通過させる工程、
前記供給空気流、前記再生空気流及び／または前記冷却システムの少なくとも１つの状態を検知する工程、
前記検出された状態に応じて前記圧縮機の出力を制御する工程、及び
前記冷却システムに少なくとも２基の圧縮機を用いる工程及び前記密閉空間内の実湿度とあらかじめ定められた湿度設定点の間の差に応じて選択的に前記圧縮機の内の一方または両方を稼働させる工程、
を有してなることを特徴とする方法。
【請求項２】
密閉空間に供給するために空気を調節する方法において、
６５°Ｆ(１８.３℃)〜９５°Ｆ(３５.０℃)の範囲の温度ないしさらに高い温度及び９０〜１８０ｇｒ/ｌｂ(１２.９〜２５.７ｇ/ｋｇ)の間の水分含有量を有する供給空気流を前記供給空気流の前記水分含有量及び温度を第１のあらかじめ定められた飽和水分含有量レベル及び飽和温度範囲まで下げるために冷却システムの冷却コイルを用いて冷却し、前記そのようにして冷却及び乾燥された周囲供給空気流に、前記冷却及び乾燥された空気流の温度を約６８〜８１°Ｆ(２０.０〜２７.２℃)の第２のあらかじめ定められた温度範囲まで上げ、前記冷却及び乾燥された空気の水分含有量をさらに３０〜８０ｇｒ/ｌｂ(４.３〜１１.４ｇ/ｋｇ)の間のあらかじめ定められた湿度レベルまで低減する条件の下で、回転中の乾燥剤ホイールの一区画を通過させる工程、及び、
次いで、前記そのようにして処理された空気を前記密閉空間に給送する工程、
再生空気流を前記再生空気流の温度を１０５°Ｆ(４０.６℃)〜１３５°Ｆ(５７.２℃)のあらかじめ定められた範囲の温度まで上げるために前記冷却システムの凝縮コイルを用いて加熱することにより前記乾燥ホイールを再生し次いで前記加熱された再生空気流に、前記ホイール内の乾燥剤を再生するために前記回転中の乾燥剤ホイールの別の区画を通過させる工程、
前記供給空気流、前記再生空気流及び／または前記冷却システムの少なくとも１つの状態を検知する工程、及び
前記検知された状態に応じて圧縮機の出力を制御する工程、
を有してなることを特徴とする方法。
【請求項３】
前記供給空気に補給空気を供給する工程、前記密閉空間内の前記空気の少なくとも１つの状態を検知する工程及び前記検出された状態に応じて前記補給空気の供給量を制御する工程を含むことを特徴とする請求項２に記載の方法。
【請求項４】
前記乾燥剤ホイールの前記再生区画に入る前記再生空気の温度を検知する工程及び、前記再生区画に入る前記空気の温度をあらかじめ定められた値に制御するために、前記凝縮器コイルを通過して前記乾燥剤ホイールの前記再生区画に入る前記再生空気の量を制御する工程を含むことを特徴とする請求項３に記載の方法。
【請求項５】
前記乾燥剤ホイールを出る前記冷却された供給空気の温度を検知する工程及び、前記ホイールを出る前記冷却空気温度をあらかじめ定められた値に維持するために前記検知された温度に応じて圧縮機の容量を制御する工程を含むことを特徴とする請求項４に記載の方法。
【請求項６】
前記凝縮コイルの圧力を検知して前記凝縮コイル圧力をあらかじめ定められた圧力状態に維持する工程、及び、前記凝縮コイルを通り、前記乾燥剤ホイールの前記再生区画に入る前記再生空気の量を制御し、よって比較的一様な再生空気温度を維持する工程を含むことを特徴とする請求項４に記載の方法。
【請求項７】
前記乾燥剤ホイールを出る前記冷却された供給空気の温度を検知する工程及び、前記ホイールを出る前記冷却空気温度をあらかじめ定められた値に維持するために前記検知された温度に応じて圧縮機の容量を制御する工程を含むことを特徴とする請求項６に記載の方法。
【請求項８】
空気調節及び除湿システムにおいて、
壁よって第１及び第２の独立プレナム室に分割されている密閉筐体、
前記筐体内の冷却回路であって、
第１のプレナム室内のエバポレータコイル、及び
第２のプレナム室内の、直列に配置された、凝縮器コイル、少なくとも１つの冷媒圧縮機及び、前記筐体の外部から前記第２のプレナム室を通して前記凝縮器コイルを介して供給空気を引き入れ、前記供給空気を前記筐体の外部に放出するように配置された、凝縮器ファン
を有する冷却回路、
前記筐体内の除湿システムであって、
乾燥剤ホイールであって、前記壁を垂直に横切る平面で回転させるために前記筐体に回転可能な態様で取り付けられ、よって、処理区画として機能する前記ホイールの第１の区画が前記第１のプレナム室に配置され、再生区画として機能する前記ホイールの第２の区画が第２のプレナム室に配置され、前記第２のプレナム室内の前記乾燥剤ホイール区画は前記凝縮器コイルを介して流れる前記空気の下流側に配置される、乾燥剤ホイール、
前記ホイールの一方の側に隣接して配置された前記第１のプレナム室内の供給／プロセス空気ファン、
前記第１のプレナム室を分割して副プレナム室を形成するための、前記ホイールの前記一方の側の近くから延び、よって前記供給／プロセス空気ファンが供給／プロセス空気流を前記第１のプレナム室に引き入れ、前記ホイールの前記処理区画を通して前記副プレナム室に引き入れて、前記そのようにして冷却及び除湿された空気を密閉空間に放出する、前記第１のプレナム室内の副分割壁、
前記乾燥剤ホイールの下流側に隣接する前記第２のプレナム室内の再生ファン、及び
前記ホイールを再生するために前記再生ファンが前記凝縮器コイルを出る空気を前記ホイールを通して引くときに、前記ホイールを出る空気が前記凝縮器コイルまたは前記ホイールの流入側に向かって流れ戻ることを防止するために、前記乾燥剤ホイールの下流側で、前記乾燥剤ホイールから前記筐体の側壁に向けて延びる、前記第２のプレナム室内のバッフル手段、
を有する除湿システム、
を備えることを特徴とする空気調節及び除湿システム。
【請求項９】
密閉空間の空気を選択的に加熱、冷却及び除湿するための装置において、
乾燥剤ホイールベース除湿システム、及び
少なくとも１つの冷却回路、
を備え、
前記乾燥剤ホイール除湿システムが、
処理区画及び再生区画を有する乾燥剤ホイール、
前記空間から前記ホイールの前記再生区画を通して空気を引くための送風機、
を有し、
前記冷却回路が、
前記密閉空間から前記再生区画に流れる再生空気の経路において前記密閉空間と前記ホイールの前記再生区画の間に配置された凝縮器コイル、
エバポレータコイル、
前記エバポレータコイルを介して、前記乾燥剤ホイールの前記処理区画を通し、前記密閉区間に供給空気を引き入れるための送風機手段、及び
前記凝縮器コイルと前記エバポレータコイルの間で回路内の冷媒を移動させるための圧縮機、
を有する第１の冷却回路、及び
凝縮器コイル、
前記凝縮器コイルを介して周囲空気を引き入れ、前記引き入れられた周囲空気を大気に排出するための送風機手段、
前記乾燥剤ホイールの上流側で前記第１の再生システム内の前記供給空気流内に配置されたエバポレータコイル、及び
付帯するコイル間で冷媒を移動させるための圧縮機、
を有する第２の冷却回路、
を有し、よって、
前記第１の冷却回路だけの動作が冷却だけを生じさせ、
前記乾燥剤ホイールベースシステム及び前記第１の冷却回路だけの動作が除湿だけを生じさせ、
前記乾燥剤ホイールベースシステム並びに前記第１及び第２の冷却回路の動作が冷却及び除湿をともに生じさせ、
前記乾燥剤ホイールベースシステムだけの動作が前記再生空気流と前記供給空気流の間のエンタルピー交換を生じさせ、
前記乾燥剤ホイールベースシステムも前記冷却回路も動作しない、前記送風機だけの動作が新鮮空気の循環だけを生じさせる、
ことを特徴とする装置。
【請求項１０】
密閉空間の空気を選択的に加熱、冷却及び除湿するための装置において、
乾燥剤ホイールベース除湿システム、及び
少なくとも２つの冷却回路、
を備え、
前記乾燥剤ホイール除湿システムが、
処理区画及び再生区画を有する乾燥剤ホイール、
前記空間から前記ホイールの前記再生区画を通して空気を引くための送風機、
を有し、
前記冷却回路が、
前記密閉空間から前記再生区画に流れる再生空気の経路において前記密閉空間と前記ホイールの前記再生区画の間に配置された凝縮器コイル、
エバポレータコイル、
前記エバポレータコイルを介して、前記乾燥剤ホイールの前記処理区画を通して、前記密閉区間に供給空気を引き入れるための送風機手段、及び
前記凝縮器コイルと前記エバポレータコイルの間で回路内の冷媒を移動させるための圧縮機、
を有する第１の冷却回路、及び
凝縮器コイル、
前記凝縮器コイルを介して周囲空気を引き入れ、前記引き入れられた周囲空気を大気に排出するための送風機手段、
前記乾燥剤ホイールの上流側で前記第１の再生システム内の前記供給空気流内に配置されたエバポレータコイル、及び
付帯するコイル間で冷媒を移動させるための圧縮機、
を有する少なくとも第２の冷却回路、
を有し、よって、
前記第１の冷却回路だけの動作が冷却だけを生じさせ、
前記乾燥剤ホイールベースシステム及び前記第１の冷却回路だけの動作が除湿だけを生じさせ、
前記乾燥剤ホイールベースシステム並びに前記第１及び第２の冷却回路の動作が冷却及び除湿をともに生じさせ、
前記乾燥剤ホイールベースシステムだけの動作が前記再生空気流と前記供給空気流の間のエンタルピー交換を生じさせ、
前記乾燥剤ホイールベースシステムも前記冷却回路も動作しない、前記送風機だけの動作が新鮮空気の循環だけを生じさせる、
ことを特徴とする装置。